(57)【特許請求の範囲】
【請求項１】
ＤＩＮレールとＤＩＮレール取付け用アダプタとを固定補強するＤＩＮレール取付け用アダプタ固定補強金具において、
板状の金具本体と、
この金具本体に設けられ前記ＤＩＮレールの長手方向に直交する両端側を係止して固定する係止固定手段と、
前記金具本体の前記係止固定手段の配置位置より前記ＤＩＮレールの長手方向の一方方向に設けられ前記ＤＩＮレール取付け用アダプタを前記ＤＩＮレールに押圧して固定する押圧固定手段と、
前記金具本体の前記係止固定手段の配置位置より前記ＤＩＮレールの長手方向の他方方向に設けられ前記係止固定手段に係止力を付与し前記押圧固定手段に押圧力を付与する力付与手段と
を具備したことを特徴とするＤＩＮレール取付け用アダプタ固定補強金具。
【請求項２】
前記係止固定手段として、前記ＤＩＮレールの両端側を係止固定する鉤状つめ部が使用されたこと
を特徴とする請求項1記載のＤＩＮレール取付け用アダプタ固定補強金具。
【請求項３】
前記押圧固定手段として、前記ＤＩＮレール取付け用アダプタを押圧固定する凸状部が使用されたこと
を特徴とする請求項1又は請求項2記載のＤＩＮレール取付け用アダプタ固定補強金具。
【請求項４】
押圧固定作用を確実に確保出来るように前記凸状部が少なくとも2個になるように前記金具本体にスリットが設けられたこと
を特徴とする請求項1乃至請求項3の何れかに記載のＤＩＮレール取付け用アダプタ固定補強金具。
【請求項５】
前記力付与手段として、前記金具本体に途中が螺合され一端が前記ＤＩＮレールもしくはＤＩＮレールの取付面に突き当たるねじが使用されたこと
を特徴とする請求項1乃至請求項４の何れかに記載のＤＩＮレール取付け用アダプタ固定補強金具。
【請求項６】
前記金具本体の前記力付与手段の配置位置付近であって前記金具本体の曲がりが防止されるように前記金具本体に直交して設けられたリブ部
を具備したことを特徴とする請求項1乃至請求項５の何れかに記載のＤＩＮレール取付け用アダプタ固定補強金具。
【請求項７】
前記リブ部として、前記金具本体の端部が折曲されて形成されたこと
を特徴とする請求項６記載のＤＩＮレール取付け用アダプタ固定補強金具。
【請求項８】
前記ＤＩＮレール取付け用アダプタが保護されるように前記凸状部の端部が折り返されたこと
を特徴とする請求項３乃至請求項７の何れかに記載のＤＩＮレール取付け用アダプタ固定補強金具。
【請求項９】
前記ＤＩＮレール取付け用アダプタが保護されるように前記凸状部の先端部に保護カバーが設けられたこと
を特徴とする請求項３乃至請求項８の何れかに記載のＤＩＮレール取付け用アダプタ固定補強金具。
【請求項１０】
前記ＤＩＮレール取付け用アダプタへの押圧固定力の確実性を確保するように前記凸状部の先端部に摩擦向上カバーが設けられたこと
を特徴とする請求項３乃至請求項９の何れかに記載のＤＩＮレール取付け用アダプタ固定補強金具。
【請求項１１】
前記保護カバーあるいは前記摩擦向上カバーとして、ゴム材が使用されたことを特徴とする請求項３乃至請求項１０の何れかに記載のＤＩＮレール取付け用アダプタ固定補強金具。
【発明の詳細な説明】
【０００１】
【発明の属する技術分野】
本発明は、ＤＩＮレール取付け用アダプタ固定補強金具に関するものである。更に、詳述すれば、ＤＩＮレール取付け用アダプタを、ＤＩＮレールに押圧して固定することにより、取付強度が向上され、かつ、ＤＩＮレールの長手方向の動きを係止固定することができるＤＩＮレール取付け用アダプタ固定補強金具に関するものである。
【０００２】
【従来の技術】
図１７は、従来より一般に使用されている従来例のＤＩＮレールと市販されているＤＩＮレール取付アダプタ（取付用部品）の組立て例を示す。
図１８は図１７のＡ−Ａ断面図、図１９は図１７のＢ−Ｂ断面図である。
【０００３】
図において、ＤＩＮレール１に、ＤＩＮレール取付アダプタ（取付用部品）２が取り付けられている。
この場合は、ＤＩＮレール１として、ＤＩＮ４６２７７規格に基づく寸法３５×２７×７．３が使用され、ＤＩＮレール取付アダプタ（取付用部品）２としては、例えば、ワイドミュラー社製の型式ＭＯＦＵが使用されている。
【０００４】
そして、ＤＩＮレール取付アダプタ（取付用部品）２を、ＤＩＮレール１に取付けたい機器３の背面に取付け、機器３を、ＤＩＮレール取付アダプタ（取付用部品）２を介してＤＩＮレール１に取付ける。
【０００５】
なお、ＤＩＮレール１は、ＤＩＮレール取付け面４に取り付けられている。
ＤＩＮレール取付アダプタ（取付用部品）２の個数は、機器３の重量や取付のバランスに依存する。
【０００６】
【発明が解決しようとする課題】
上記のＤＩＮレール取付アダプタ２は、安価で入手しやすい部品であり、ＤＩＮレール１への取付もワンタッチでおこなえるなど、使いやすい部品である。
しかしながら、このようなＤＩＮレール取付アダプタ２は、爪５でＤＩＮレール１に引っかかるだけの構造であるので、その取付強度は必ずしも十分とはいえない。
【０００７】
取付けられた機器３に衝撃が加わったとき、力の方向によっては、ＤＩＮレール１から機器３が外れる場合がある。
また、ＤＩＮレール１の長手方向への動きを制限する機能は付いていない。
【０００８】
ＤＩＮレール１の長手方向への動きを制限する部品は、別途市販されているものがあるが、あくまでも、長手方向の動きを止めるためだけのもので、ＤＩＮレール１の取付アダプタ２の取付強度を補強するものではない。
【０００９】
本発明の目的は、上記の課題を解決するもので、ＤＩＮレール取付け用アダプタをＤＩＮレールに押圧して固定することにより、取付強度が向上され、かつ、ＤＩＮレールの長手方向の動きを係止固定することができるＤＩＮレール取付け用アダプタ固定補強金具を提供することにある。
【００１０】
【課題を解決するための手段】
このような目的を達成するために、本発明では、請求項１のＤＩＮレール取付け用アダプタ固定補強金具においては、
ＤＩＮレールとＤＩＮレール取付け用アダプタとを固定補強するＤＩＮレール取付け用アダプタ固定補強金具において、
板状の金具本体と、この金具本体に設けられ前記ＤＩＮレールの長手方向に直交する両端側を係止して固定する係止固定手段と、前記金具本体の前記係止固定手段の配置位置より前記ＤＩＮレールの長手方向の一方方向に設けられ前記ＤＩＮレール取付け用アダプタを前記ＤＩＮレールに押圧して固定する押圧固定手段と、前記金具本体の前記係止固定手段の配置位置より前記ＤＩＮレールの長手方向の他方方向に設けられ前記係止固定手段に係止力を付与し前記押圧固定手段に押圧力を付与する力付与手段とを具備した事を特徴とする。
【００１１】
本発明の請求項２においては、請求項1記載のＤＩＮレール取付け用アダプタ固定補強金具において、
前記係止固定手段として、前記ＤＩＮレールの両端側を係止固定する鉤状つめ部が使用されたことを特徴とする。
【００１２】
本発明の請求項３においては、請求項1又は請求項2記載のＤＩＮレール取付け用アダプタ固定補強金具において、
前記押圧固定手段として、前記ＤＩＮレール取付け用アダプタを押圧固定する凸状部が使用されたことを特徴とする。
【００１３】
本発明の請求項４においては、請求項1乃至請求項3の何れかに記載のＤＩＮレール取付け用アダプタ固定補強金具において、
押圧固定作用を確実に確保出来るように前記凸状部が少なくとも2個になるようにスリットが設けられたことを特徴とする。
【００１４】
本発明の請求項５においては、請求項1乃至請求項４の何れかに記載のＤＩＮレール取付け用アダプタ固定補強金具において、
前記力付与手段として、前記金具本体に途中が螺合され一端が前記ＤＩＮレールもしくはＤＩＮレールの取付面に突き当たるねじが使用されたことを特徴とする。
【００１５】
本発明の請求項６においては、請求項１乃至請求項５の何れかに記載のＤＩＮレール取付け用アダプタ固定補強金具において、
前記金具本体の前記力付与手段の配置位置付近であって前記金具本体の曲がりが防止されるように前記金具本体に直交して設けられたリブ部を具備したことを特徴とする。
【００１６】
本発明の請求項７においては、請求項６記載のＤＩＮレール取付け用アダプタ固定補強金具において、
前記リブ部として、前記金具本体の端部が折曲されて形成されたことを特徴とする。
【００１７】
本発明の請求項８においては、請求項３乃至請求項７の何れかに記載のＤＩＮレール取付け用アダプタ固定補強金具において、
前記ＤＩＮレール取付け用アダプタが保護されるように前記凸状部の端部が折り返されたことを特徴とする。
【００１８】
本発明の請求項９においては、請求項３乃至請求項８の何れかに記載のＤＩＮレール取付け用アダプタ固定補強金具において、
前記ＤＩＮレール取付け用アダプタが保護されるように前記凸状部の先端部に保護カバーが設けられたことを特徴とする。
【００１９】
本発明の請求項１０においては、請求項３乃至請求項９の何れかに記載のＤＩＮレール取付け用アダプタ固定補強金具において、
前記ＤＩＮレール取付け用アダプタへの押圧固定力の確実性を確保するように前記凸状部の先端部に摩擦向上カバーが設けられたことを特徴とする。
【００２０】
本発明の請求項１１においては、請求項３乃至請求項１０の何れかに記載のＤＩＮレール取付け用アダプタ固定補強金具において、
前記保護カバーあるいは前記摩擦向上カバーとして、ゴム材が使用されたことを特徴とする。
【００２１】
【発明の実施の形態】
以下図面を用いて本発明を詳しく説明する。
図１は本発明の一実施例の要部構成説明図、図2は図１の部品の要部構成説明図、図３は図２の側面図、図４は図２の平面図である。
【００２２】
図５はＤＩＮレール１と取付アダプタ２への組立て斜視説明図、図６は詳細組立説明図、図７は図６の側面図、図８は図６の平面図である。
【００２３】
図において、図１７と同一記号の構成は同一機能を表す。
以下、図１７と相違部分のみ説明する。
金具本体１１は、図２に示す如く、板状をなす。
【００２４】
係止固定手段１２は、図３に示す如く、この金具本体１１に設けられ、図６に示す如く、ＤＩＮレール１の長手方向に直交する両端側１０１を係止して固定する。
この場合は、鉤状つめ部１２が使用されている。
【００２５】
押圧固定手段１３は、図２に示す如く、金具本体１１の係止固定手段１２の配置位置より、ＤＩＮレール１の長手方向の一方方向に設けられ（この場合は、図の左方向）、ＤＩＮレール取付け用アダプタ２をＤＩＮレール１に押圧して固定している。
【００２６】
この場合は、押圧固定手段１３として、図２に示す如く、ＤＩＮレール取付け用アダプタ２を押圧固定する凸状部１３が使用されている。
また、この場合は、押圧固定作用を確実に確保出来るように、凸状部１３が少なくとも2個になるようにスリット１３１が設けられている。
【００２７】
力付与手段１４は、図１に示す如く、金具本体１１の係止固定手段１２の配置位置より、ＤＩＮレール１の長手方向の他方方向（この場合は、図の右方向）に設けられ、係止固定手段１２に係止力を付与し、押圧固定手段１３に押圧力を付与する。
【００２８】
この場合は、図１に示す如く、力付与手段１４として、金具本体１１に途中が螺合され、一端が前記ＤＩＮレール１、もしくは、ＤＩＮレールの取付面４に突き当たるねじ１４が使用されている。
【００２９】
リブ部１５は、金具本体１１の力付与手段１４の配置位置付近であって、金具本体１１の曲がりが防止されるように、金具本体１１に直交して設けられている。
この場合は、リブ部１５として、金具本体１１の端部１１１が折曲されて形成されている。
【００３０】
以上の構成において、ＤＩＮレール取付アダプタ２を背面に取りつけた機器３を、ＤＩＮレール１に取付ける。
機器３の両側から、鉤状つめ部１２をＤＩＮレール１に引っかけ、凸状部１３を取付アダプタ２のくぼみに挿入する。
【００３１】
ねじ１４を締めると、ＤＩＮレール１に引っかけられた鉤状つめ部１２を支点として、凸状部１３にねじ１４の締め付け力が作用し、取付アダプタ２を押さえつける力となって、取付アダプタ２がＤＩＮレール１から外れない方向に働く。
【００３２】
また、ねじ１４の締付力は、機器３がＤＩＮレール１の長手方向に動こうとする力も妨げる方向に働く。
【００３３】
この結果、
（１）ＤＩＮレール取付け用アダプタ２を、ＤＩＮレール１に押圧して固定することにより、取付強度が向上され、かつ、ＤＩＮレール１の長手方向の動きを係止固定ことができるＤＩＮレール取付け用アダプタ固定補強金具が得られる。
【００３４】
要するに、市販のＤＩＮレール取付け用アダプタ２の補強と、ＤＩＮレール１の長手方向への動きの防止を、１個の部品（金具本体１１）で行うことができるＤＩＮレール取付け用アダプタ固定補強金具が得られる。
【００３５】
（２）鉤状つめ部１２が使用されたので、ＤＩＮレール１の両端側１０１の係止固定が、確実なＤＩＮレール取付け用アダプタ固定補強金具が得られる。
【００３６】
（３）ＤＩＮレール取付け用アダプタ２を押圧固定する凸状部１３が使用されたので、ＤＩＮレール取付け用アダプタ２を確実に押圧固定できるＤＩＮレール取付け用アダプタ固定補強金具が得られる。
【００３７】
（４）凸状部１３が少なくとも2個になるので、ＤＩＮレール取付け用アダプタ２の押圧固定される部分に多少の凹凸部分があっても、押圧固定作用を確実に確保出来るＤＩＮレール取付け用アダプタ固定補強金具が得られる。
【００３８】
（５）力付与手段１４として、ねじ１４が使用されたので、簡潔な構成で、安価なＤＩＮレール取付け用アダプタ固定補強金具が得られる。
【００３９】
（６）リブ部１５が設けられたので、金具本体１１の曲がりが、確実に防止されるＤＩＮレール取付け用アダプタ固定補強金具が得られる。
【００４０】
（７）リブ部１５が金具本体１１の端部１１１が折曲されて形成されたので、簡潔な構成で、安価なＤＩＮレール取付け用アダプタ固定補強金具が得られる。
【００４１】
図９は本発明の他の実施例の要部構成説明図で、図１０は図９の平面図である。
本実施例においては、凸状部１３を１個にしたものである。
押圧固定力に対する強度が確保できて、押圧固定力を強く加えられるＤＩＮレール取付け用アダプタ固定補強金具が得られる。
【００４２】
図１１は本発明の他の実施例の要部構成説明図で、図１２は図１１の平面図である。
本実施例においては、ＤＩＮレール取付け用アダプタ２が保護されるように、凸状部１３の端部が折り返２１されている。
【００４３】
この結果、凸状部１３の端部が折り返２１されたので、ＤＩＮレール取付け用アダプタ２が傷つかずに保護されるＤＩＮレール取付け用アダプタ固定補強金具が得られる。
【００４４】
図１３は本発明の他の実施例の要部構成説明図で、図１４は図１３の平面図である。
本実施例においては、ＤＩＮレール取付け用アダプタが保護されるように前記凸状部の先端部に保護カバー３１が設けられている。
【００４５】
この結果、凸状部１３の先端部に保護カバー３１が設けられたので、ＤＩＮレール取付け用アダプタが傷つかずに保護されるＤＩＮレール取付け用アダプタ固定補強金具が得られる。
【００４６】
図１５は本発明の他の実施例の要部構成説明図で、図１６は図１５の平面図である。
本実施例においては、ＤＩＮレール取付け用アダプタ２への押圧固定力の確実性を確保するように前記凸状部の先端部に摩擦向上カバー４１が設けられている。
【００４７】
この結果、凸状部１３の先端部に摩擦向上カバー４１が設けられたので、ＤＩＮレール取付け用アダプタ２への押圧固定力の確実性を確保できるＤＩＮレール取付け用アダプタ固定補強金具が得られる。
【００４８】
なお、保護カバー３１あるいは摩擦向上カバー４１として、ゴム材が使用されれば、ゴム材は市場性があり、安価なＤＩＮレール取付け用アダプタ固定補強金具が得られる。
【００４９】
なお、以上の説明は、本発明の説明および例示を目的として特定の好適な実施例を示したに過ぎない。したがって本発明は、上記実施例に限定されることなく、その本質から逸脱しない範囲で更に多くの変更、変形をも含むものである。
【００５０】
【発明の効果】
以上説明したように、本発明の請求項１によれば、次のような効果がある。
ＤＩＮレール取付け用アダプタを、ＤＩＮレールに押圧して固定することにより、取付強度が向上され、かつ、ＤＩＮレールの長手方向の動きを係止固定ことができるＤＩＮレール取付け用アダプタ固定補強金具が得られる。
【００５１】
本発明の請求項２によれば、次のような効果がある。
鉤状つめ部が使用されたので、ＤＩＮレールの両端側の係止固定が、確実なＤＩＮレール取付け用アダプタ固定補強金具が得られる。
【００５２】
本発明の請求項３によれば、次のような効果がある。
ＤＩＮレール取付け用アダプタを押圧固定する凸状部が使用されたので、ＤＩＮレール取付け用アダプタを確実に押圧固定できるＤＩＮレール取付け用アダプタ固定補強金具が得られる。
【００５３】
本発明の請求項４によれば、次のような効果がある。
凸状部が少なくとも2個になるので、ＤＩＮレール取付け用アダプタの押圧固定される部分に多少の凹凸部分があっても、押圧固定作用を確実に確保出来るＤＩＮレール取付け用アダプタ固定補強金具が得られる。
【００５４】
本発明の請求項５によれば、次のような効果がある。
力付与手段として、ねじが使用されたので、簡潔な構成で、安価なＤＩＮレール取付け用アダプタ固定補強金具が得られる。
【００５５】
本発明の請求項６によれば、次のような効果がある。
リブ部が設けられたので、金具本体の曲がりが確実に防止されるＤＩＮレール取付け用アダプタ固定補強金具が得られる。
【００５６】
本発明の請求項７によれば、次のような効果がある。
リブ部が金具本体の端部が折曲されて形成されたので、簡潔な構成で、安価なＤＩＮレール取付け用アダプタ固定補強金具が得られる。
【００５７】
本発明の請求項８によれば、次のような効果がある。
凸状部の端部が折り返されたので、ＤＩＮレール取付け用アダプタが傷つかずに保護されるＤＩＮレール取付け用アダプタ固定補強金具が得られる。
【００５８】
本発明の請求項９によれば、次のような効果がある。
凸状部の先端部に保護カバーが設けられたので、ＤＩＮレール取付け用アダプタが傷つかずに保護されるＤＩＮレール取付け用アダプタ固定補強金具が得られる。
【００５９】
本発明の請求項１０によれば、次のような効果がある。
凸状部の先端部に摩擦向上カバーが設けられたので、ＤＩＮレール取付け用アダプタへの押圧固定力の確実性を確保できるＤＩＮレール取付け用アダプタ固定補強金具が得られる。
【００６０】
本発明の請求項１１によれば、次のような効果がある。
保護カバーあるいは摩擦向上カバーとして、ゴム材が使用されたので、ゴム材は市場性があり、安価なＤＩＮレール取付け用アダプタ固定補強金具が得られる。
【００６１】
従って、本発明によれば、ＤＩＮレール取付け用アダプタをＤＩＮレールに押圧して固定することにより、取付強度が向上され、かつ、ＤＩＮレールの長手方向の動きを係止固定することができるＤＩＮレール取付け用アダプタ固定補強金具を実現することが出来る。
【図面の簡単な説明】
【図１】本発明の一実施例の要部構成説明図である。
【図２】図１の部品の要部構成説明である。
【図３】図２の側面図である。
【図４】図２の平面図である。
【図５】ＤＩＮレール１と取付アダプタ２への組立て斜視説明である。
【図６】組立て詳細説明図である。
【図７】図６の側面図である。
【図８】図６の平面図である。
【図９】本発明の他の実施例の要部構成説明図である。
【図１０】図９の平面図である。
【図１１】本発明の他の実施例の要部構成説明図である。
【図１２】図１１の平面図である。
【図１３】本発明の他の実施例の要部構成説明図である。
【図１４】図１４の平面図である。
【図１５】本発明の他の実施例の要部構成説明図である。
【図１６】図１５の平面図である。
【図１７】従来より一般に使用されている従来例の要部構成説明図である。
【図１８】図１７の側面図である。
【図１９】図１７の平面図である。
【符号の説明】
１        ＤＩＮレール
１０１    両端側
２        ＤＩＮレール取付け用アダプタ
３        機器
４        ＤＩＮレール取付け面
５        爪
１１      金具本体
１１１    端部
１２      鉤状つめ部
１３      凸状部
１３１    スリット
１４      ねじ
１５      リブ部
２１      端部
３１      保護カバー
４１      摩擦向上カバー
【図１】
0003800293.tif 000002
【図２】
0003800293.tif 000003
【図３】
0003800293.tif 000004
【図４】
0003800293.tif 000005
【図５】
0003800293.tif 000006
【図６】
0003800293.tif 000007
【図７】
0003800293.tif 000008
【図８】
0003800293.tif 000009
【図９】
0003800293.tif 000010
【図１０】
0003800293.tif 000011
【図１１】
0003800293.tif 000012
【図１２】
0003800293.tif 000013
【図１３】
0003800293.tif 000014
【図１４】
0003800293.tif 000015
【図１５】
0003800293.tif 000016
【図１６】
0003800293.tif 000017
【図１７】
0003800293.tif 000018
【図１８】
0003800293.tif 000019
【図１９】
0003800293.tif 000020